(57)【要約】【課題】  ユーザの撮影した画像を他のユーザも閲覧できるようにする。【解決手段】  被写体を撮影して得られる画像データであるとともに、その撮影場所の位置情報を有する画像データをディスプレイに画像として表示する。ディスプレイに、位置情報が示す撮影場所を含む地図MAPを、サーバからダウンロードして表示する。この表示された地図MAPにおける位置情報が示す位置ごとに、所定のマークＩ1〜Ｉ5をそれぞれ表示する。マークＩ1〜Ｉ5の表示された場所で撮影された画像ごとに、そのサムネイルＴ1〜Ｔ5を表示する。マークＩ1〜Ｉ5を指定したとき、そのマークＩ1〜Ｉ5の表示された場所で撮影された画像の画像データを、サーバからダウンロードしてその画像をディスプレイに表示する。【選択図】  図１
2009211341.tif 000002
【特許請求の範囲】
【請求項１】
被写体を撮影して得られる画像データであるとともに、その撮影場所の位置情報を有する画像データをディスプレイに画像として表示する表示方法であって、
上記ディスプレイに、上記位置情報が示す撮影場所を含む地図を、サーバからダウンロードして表示し、
この表示された地図における上記位置情報が示す位置ごとに、所定のマークをそれぞれ表示するとともに、
このマークの表示された場所で撮影された画像ごとに、そのサムネイルを表示し、
上記マークを指定したとき、そのマークの表示された場所で撮影された画像の画像データを、上記サーバからダウンロードしてその画像を上記ディスプレイに表示する
ようにした画像の表示方法。
【請求項２】
請求項１に記載の表示方法において、
上記被写体の撮影者が異なるときには、その撮影者の撮影した画像に対応する上記マークおよび上記サムネイルの表示形態を異ならせる
ようにした画像の表示方法。
【請求項３】
被写体を撮影して得られる画像データであるとともに、その撮影場所の位置情報を有する画像データをディスプレイに画像として表示する表示装置であって、
サーバとの通信回路を有し、
上記ディスプレイに、上記位置情報が示す撮影場所を含む地図を、上記サーバからダウンロードして表示し、
この表示された地図における上記位置情報が示す位置ごとに、所定のマークをそれぞれ表示するとともに、
このマークの表示された場所で撮影された画像ごとに、そのサムネイルを表示し、
上記マークを指定したとき、そのマークの表示された場所で撮影された画像の画像データを、上記サーバからダウンロードしてその画像を上記ディスプレイに表示する
ようにした画像の表示装置。
【請求項４】
請求項３に記載の表示装置において、
上記被写体の撮影者が異なるときには、その撮影者の撮影した画像に対応する上記マークおよび上記サムネイルの表示形態を異ならせる
ようにした画像の表示装置。
【発明の詳細な説明】
【技術分野】
【０００１】
この発明は、画像の表示方法およびその表示装置に関する。
【背景技術】
【０００２】
近年、デジタルカメラの普及により、手軽に写真を撮影することができるようになっている。また、ネットワーク網の発達、センサネットワークの開発、ストレージの容量の増大および軽量化も進んでいる。このため、ユーザの行動をデジタルカメラにより記録し、その画像（写真）をストレージに蓄積することにより、ライフログとすることが考えられている。
【０００３】
そこで、画像と位置情報とを組み合わせて画像を表示するサービスが行われている。例えば、ディスプレイに地図が表示されるとともに、その地図上にはアイコンが表示される。そして、表示されているアイコンをクリックすると、そのアイコンの表示位置で撮影された風景などの画像が表示されるものである。
【０００４】
なお、先行技術文献として例えば以下のものがある。
【特許文献１】特開平９−３１２８２５号公報
【特許文献２】特開２０００−３２３７４号公報
【特許文献３】特開２００１−９４９１６号公報
【発明の開示】
【発明が解決しようとする課題】
【０００５】
ところが、これまでに行われている上記のような画像の表示サービスは、画像とその撮影場所とを、その画像の撮影者に提供しているに過ぎない。つまり、その表示サービスをあるユーザＡが利用していても、ユーザＡの画像を他のユーザＢが閲覧することはできなかった。
【０００６】
例えば、ある場所で珍しい風景を撮影したとしても、その画像を友人や知人などに見せるには、その画像のファイルをメールに添付して送ったり、ブログやホームページなどに掲載する必要があった。
【０００７】
この発明は、このような点にかんがみ、画像とその撮影場所とを組み合わせるだけでなく、その画像を他のユーザも閲覧できるようにしようとするものである。
【課題を解決するための手段】
【０００８】
この発明においては、
被写体を撮影して得られる画像データであるとともに、その撮影場所の位置情報を有する画像データをディスプレイに画像として表示する表示方法であって、
上記ディスプレイに、上記位置情報が示す撮影場所を含む地図を、サーバからダウンロードして表示し、
この表示された地図における上記位置情報が示す位置ごとに、所定のマークをそれぞれ表示するとともに、
このマークの表示された場所で撮影された画像ごとに、そのサムネイルを表示し、
上記マークを指定したとき、そのマークの表示された場所で撮影された画像の画像データを、上記サーバからダウンロードしてその画像を上記ディスプレイに表示する
ようにした画像の表示方法
とするものである。
【発明の効果】
【０００９】
この発明によれば、複数のユーザの間で行動の履歴を記録・蓄積して共有しているので、他のユーザとの間で、お互いの行動に共感したり、楽しみをわかちあったりすることができる。
【発明を実施するための最良の形態】
【００１０】
〔１〕  この発明のアウトライン
図１は、この発明による画像の表示装置を説明するもので、符号SCRNは、その画像の表示装置、例えばパーソナルコンピュータに接続されたディスプレイの表示画面を示し、この表示画面SCRNには地図MAPが表示される。この地図MAPは、この画像の表示装置を前回使用したときの最後に表示した地図、あるいはあらかじめユーザが設定しておいた地図とすることができる。
【００１１】
そして、この表示された地図MAPは、マウスなどの入力デバイスにより任意の方向にスクロールできるようにされている。そこで、地図MAPとして目的とする場所を含むエリアを表示させると、地図MAPには、画像の撮影が行われた位置に、その撮影位置を示すアイコン（マーク）Ｉ1〜Ｉ5が表示される。図１Ａにおいては、表示された地図MAPのエリア内で５枚の画像が撮影されているので、５つのアイコンＩ1〜Ｉ5がそれぞれの撮影場所に表示されている場合である。
【００１２】
また、地図MAPの例えば下には、サムネイルＴ1〜Ｔ5が表示される。このサムネイルＴ1〜Ｔ5は、アイコンＩ1〜Ｉ5にそれぞれ対応しているものである。つまり、アイコンＩ1〜Ｉ5と、サムネイルＴ1〜Ｔ5とは、それぞれリンク（関連付け）されている。例えば、サムネイルＴ1には、アイコンＩ1が対応し、これらはリンクされている。
【００１３】
なお、サムネイル（Ｔ1〜Ｔ5）は新しいものほど例えば左側に表示され、サムネイルの数が多く、１画面では表示しきれないときには、サムネイルを水平方向にスクロールさせることにより、残るアイコンも表示できるものである。
【００１４】
さらに、このとき、サムネイルＴ1〜Ｔ5は、それらの原画像ともリンクされている。したがって、アイコンＩ1〜Ｉ5と、サムネイルＴ1〜Ｔ5と、それらの原画像とは、それぞれリンクされている。
【００１５】
また、後述するように、ユーザ（撮影者）の撮影した画像は、サーバを通じて複数のユーザの間で共有できるようにされているものであり、表示画面SCRNで撮影者を区別できるようにもされている。
【００１６】
このため、図１Ａの例において、
サムネイルＴ1、Ｔ3、Ｔ4の原画像の撮影者はＡさん
サムネイルＴ2の原画像の撮影者はＢさん
サムネイルＴ5の原画像の撮影者はＣさん
とすれば、サムネイルＴ1〜Ｔ5に外枠Ｆ1〜Ｆ5をそれぞれ付加するとともに、例えば、
サムネイルＴ1、Ｔ3、Ｔ4の外枠Ｆ1、Ｆ3、Ｆ4は青色（ドットで図示）
サムネイルＴ2の外枠Ｆ2は赤色（斜線で図示）
サムネイルＴ5の外枠Ｆ5は黄色（塗りつぶしなし）
のように、撮影者によって外枠Ｆ1〜Ｆ5の色を異ならせた場合である。
【００１７】
さらに、このとき、アイコンＩ1〜Ｉ5もサムネイルＴ1〜Ｔ5の色分けと同じ色に色分けされている。なお、以上の表示に必要なデータは、すべてサーバに用意され、ダウンロードされて表示される。
【００１８】
そして、アイコンＩ1〜Ｉ5のうち、任意のアイコンを指定すると、すなわち、例えばアイコンＩ2をマウスによりクリックすると、アイコンＩ2にリンクされている原画像の画像データが選択されてダウンロードされ、その原画像が表示画面SCRNに例えば本来の大きさで表示される。
【００１９】
一方、例えば図１Ａの表示状態のとき、サムネイルＴ1〜Ｔ5のうち、任意のサムネイルを指定すると、すなわち、例えばサムネイルＴ2をマウスによりクリックすると、例えば図１Ｂに示すように、そのサムネイルＴ2に対応するアイコンＩ2の側に矢印MARが表示され、サムネイルＴ2として表示されている原画像の撮影場所が明示される。なお、このとき、サムネイルＴ2が表示画面SCRNの中央となるように、表示をスクロールさせることができる。
【００２０】
そこで、そのアイコンＩ2をマウスによりクリックすると、上述のように、アイコンＩ2にリンクされている原画像が選択され、これが表示画面SCRNに例えば本来の大きさで表示される。
【００２１】
したがって、あるユーザの撮影した画像を他のユーザと共有することができ、それらの画像を複数のユーザの間で自由に閲覧できるとともに、その撮影場所を知ることもでき、したがって、撮影者の行動がより理解しやすくなる。例えば、ある場所で珍しい風景を撮影したとき、これをその撮影場所とともに、容易に友人や知人などに知らせることができる。
【００２２】
また、自分自身が撮影した画像を探すときも、例えば図１Ａに示すように、撮影場所と、サムネイルとがリンクして表示されるので、目的とする原画像を容易に探し出すことができる。
【００２３】
図２は他の表示例を示し、この例においては、表示装置の表示画面SCRNにサムネイルＴ1、Ｔ2、・・・だけが表示される。そして、この表示されたサムネイルＴ1、Ｔ2、・・・のうち、任意のサムネイルを指定すると、すなわち、例えばサムネイルＴ2をマウスによりクリックすると、例えば図１Ｂに示すように、地図MAPおよびアイコンＩ1〜Ｉ5が表示されるとともに、そのサムネイルＴ2に対応するアイコンＩ2の側に矢印MARが表示され、サムネイルＴ2として表示されている原画像の撮影場所が明示される。
【００２４】
そこで、そのアイコンＩ2をマウスによりクリックすると、上述のように、アイコンＩ2にリンクされている原画像が選択され、これが表示画面SCRNに例えば本来の大きさで表示される。
【００２５】
〔２〕  デジタルスチルカメラの一例
〔２−１〕  構成の例
図３は、この発明に適用できるデジタルスチルカメラの一例を示す。すなわち、符号１０はそのデジタルスチルカメラを全体と示し、被写体SBJTの像が撮像レンズ１１により撮像素子、例えばＣＣＤ撮像素子１２に投影され、ＣＣＤ撮像素子１２からは被写体SBJTの映像信号が取り出される。そして、この映像信号がアナログ処理回路１３に供給されてＣＤＳ処理やＡＧＣ処理などの前処理が行われた映像信号とされ、この映像信号がＡ／Ｄコンバータ回路１４に供給されてデジタル映像信号にＡ／Ｄ変換される。
【００２６】
そして、このデジタル映像信号がデジタル処理回路１５に供給されて画質改善のための各種のデジタル補正が行われてから表示制御回路１６に供給されてアナログ映像信号にＤ／Ａ変換されてからモニタ用のビューファインダ１７に供給される。こうして、このとき、撮像レンズ１１が撮影している被写体SBJTがファインダ１７に動画の状態で表示され、撮影内容がモニタされる。
【００２７】
さらに、デジタル処理回路１５には、記録再生回路１８が接続されるとともに、この記録再生回路１８には、着脱自在の不揮発性の記録メディア、例えばメモリカード１９が接続される。こうして、記録再生回路１８によりメモリカード１９に対して画像データおよび後述するメタデータ（メタ情報のデータ）が記録される。
【００２８】
また、符号２０はシステム制御用のマイクロコンピュータを示し、これは、プログラムを実行するＣＰＵ２１と、各種のプログラムが保存されているＲＯＭ２２と、ワークエリア用のＲＡＭ２３と、このカメラに固有の情報やユーザの設定した情報などを保存しておくための不揮発性メモリ２４とを有する。
【００２９】
なお、ＲＯＭ２２は、プログラムの一部として、例えば図４および図８に示す１００、２００も有する。ルーチン１００は、ライフログを作成するためのプログラムであり、ルーチン２００は画像データをサーバにアップロードするためのプログラムである。これらルーチン１００、２００の詳細については後述するが、図４および図８において、ルーチン１００、２００は、この発明に関係する部分だけを抜粋して示している。
【００３０】
さらに、このマイクロコンピュータ２０は通信回路２５を有し、この通信回路２５によりコネクタ２６を通じて外部のサーバ（図示せず）との間でデータのアップロードやダウンロードなどができるようにされている。また、マイクロコンピュータ２０には、シャッターボタンなどの各種の操作ボタン２７が接続されている。
【００３１】
そして、マイクロコンピュータ２０から処理回路１３、１５、１８にそれぞれの処理のためのデータおよび制御信号が供給されるとともに、タイミングジェネレータ４１にも所定の制御信号が供給されて各種のタイミング信号が形成され、このタイミング信号がＣＣＤ撮像素子１２に供給されてＣＣＤ撮像素子１２における撮像が実現される。
【００３２】
さらに、マイクロコンピュータ２０には、位置情報のセンサ、例えばＧＰＳユニット３１が接続されるとともに、時計回路３２が接続される。この場合、ＧＰＳユニット３１は、撮影場所の位置情報を得るためのものであり、時計回路３２は、被写体SBJTの撮影を行ったとき、その撮影日時の情報を得るためのものである。
【００３３】
また、この例においては、撮影者の生体情報および運動情報も画像とともに、記録するようにしている場合である。すなわち、撮影者の生体情報の検出用として、例えば心拍数および皮膚の電気抵抗（インピーダンス）を検出する生体情報センサ３３が用意され、その検出出力がコネクタ３５を通じてマイクロコンピュータ２０に取り込まれる。
【００３４】
この場合、生体情報センサ３３は、例えば腕時計型に構成されて撮影者の手首に取り付けられ、撮影者の心拍数および皮膚の電気抵抗を検出するものである。なお、この生体情報センサ３３の検出した皮膚の電気抵抗から発汗量を知ることができ、したがって、生体情報センサ３３の検出出力を解析することにより撮影者の生体情報を得ることができる。
【００３５】
さらに、このデジタルスチルカメラ１０には、撮影者の運動状態を検出するための運動情報センサとして、例えば加速度センサ３４が設けられ、撮影者がデジタルスチルカメラ１０を手に持ったり、首から下げたりして歩いているときなどに、デジタルスチルカメラ１０に加わる加速度が検出され、その検出出力もマイクロコンピュータ２０に取り込まれる。なお、この加速度の検出出力を解析することにより、撮影者が、例えば、ゆっくり歩いている、早足で歩いている、立ち止まっている、バスや電車などの乗り物に乗車しているなどの状態、すなわち、撮影者の運動情報（行動情報）を検出することができる。
【００３６】
〔２−２〕  通常の動作の例
操作ボタン２７の操作によりデジタルスチルカメラ１０を通常の記録モードに設定すると、上述のように、ＣＣＤ撮像素子１２により撮影された被写体SBJTの画像がファインダ１７に動画の状態で表示される。
【００３７】
そして、操作ボタン２７のうちのシャッターボタンを押すと、このときのデジタル映像信号（静止画の映像信号）が、デジタル処理回路１５からマイクロコンピュータ２０に取り込まれ、例えばＪＰＥＧ方式によりデータ圧縮された画像データとされ、この画像データがいったんＲＡＭ２３に保存される。つまり、静止画の撮影が行われ、例えば図５Ａに示すように、その画像データがいったんＲＡＭ２３に保存される。
【００３８】
また、この撮影時、マイクロコンピュータ２０が設定したシャッター速度や絞り値などの撮影条件のデータが撮影情報としてＲＡＭ２３に供給される。なお、このとき、時計回路３２の示す撮影日時のデータがマイクロコンピュータ２０に取り込まれ、撮影情報の一部とされる。
【００３９】
こうして、図５Ａに示すように、ＲＡＭ２３において、これに保存されている画像データに、このときの撮影情報のデータが、例えばＥｘｉｆ形式で付加される。
【００４０】
さらに、このとき、ＧＰＳユニット３１の示す撮影場所の位置情報のデータがＲＡＭ２３に供給されるとともに、生体情報センサ３３の検出した心拍数および電気抵抗のデータと、加速度センサ３４の検出した加速度のデータとがＲＡＭ２３に供給される。
【００４１】
そして、例えば図５Ａに示すように、ＲＡＭ２３に供給されたそれぞれのデータが、ＲＡＭ２３に保存されている画像データに、例えばＥｘｉｆ形式で付加される。なお、センサ３３、３４の検出したデータは、シャッターボタンを押した時点（瞬間）に対して、所定の期間、例えば±30秒の期間のデータとすることができる。
【００４２】
こうして、図５Ａに示すように、ＲＡＭ２３において、これに保存されている画像データに、このときの撮影情報、撮影位置、撮影者の心拍数および電気抵抗、加速度の各データが、例えばＥｘｉｆ形式で付加される。
【００４３】
そして、この各データの付加された画像データが、デジタル処理回路１５を通じて記録再生回路１８に供給されメモリカード１９に記録される。こうして、任意の被写体を撮影すると、その画像データに、撮影日時、撮影位置、撮影者の生体情報および運動情報などの情報が付加されてメモリカード１９に記録されていく。
【００４４】
一方、操作ボタン２７の操作によりデジタルスチルカメラ１０を再生モードに設定すると、記録再生回路１８によりメモリカード１９からこれに記録されている画像データが再生され、その画像データがデジタル処理回路１５によりデータ伸長されてもとの画像データとされ、この画像データが表示制御回路１６に供給される。したがって、ビューファインダ１７には、メモリカード１９に記録されている画像データの画像が表示される。すなわち、デジタルスチルカメラ１０だけでも、メモリカード１９に記録されている画像を再生して見ることができる。
【００４５】
〔２−３〕  ライフログ用の記録動作
操作ボタン２７の操作によりデジタルスチルカメラ１０をライフログ用の記録モードに設定すると、マイクロコンピュータ２０において、ＣＰＵ２１の処理がルーチン１００のステップ１０１からスタートし、次にステップ１０２において、あらかじめ設定してある一定時間（例えば、10秒）が経過したか否かが判別される。そして、経過していないときには、処理はステップ１０２からステップ１０３に進み、所定のトリガが検出されたか否かが判別される。このトリガとしては、ユーザ自身がシャッターボタンを押す、加速度センサ３４がカメラ１０に対する特定の動きを検出したなどとすることができる。
【００４６】
そして、トリガが検出されないときには、処理はステップ１０３からステップ１０２に戻る。こうして、ステップ１０２の判別期間には、ステップ１０２、１０３が繰り返されている。
【００４７】
しかし、ステップ１０２の判別期間が経過すると、処理はステップ１０２からステップ１１１に進む。また、ステップ１０３において、トリガが検出されたときも、処理はステップ１０３からステップ１１１に進む。
【００４８】
そして、ステップ１１１において、シャッターボタンを押したときと同様の撮影および処理が行われ、その静止画の画像データがいったんＲＡＭ２３に保存され、次にステップ１１２において、このときの撮影情報、撮影場所の位置情報、生体情報センサ３３の検出出力および加速度センサ３４の検出出力の各データがＲＡＭ２３に供給され、ステップ１１２によりＲＡＭ２３に保存された画像データに、例えばＥｘｉｆ形式で付加される。
【００４９】
こうして、図５Ａに示すように、ＲＡＭ２３において、これに保存されている画像データに、このときのメタデータが例えばＥｘｉｆ形式で付加される。
【００５０】
続いて、このメタデータの付加された画像データが、デジタル処理回路１５を通じて記録再生回路１８に供給されメモリカード１９に記録され、その後、処理はステップ１０２に戻る。
【００５１】
したがって、例えば、ユーザが観光地を歩きまわるとき、デジタルスチルカメラ１０を首から下げて観光地を歩き回ったようなとき、そのときの風景を自動的に撮影しておくことができる。また、この撮影時、撮影に関するメタデータを得ることができる。
【００５２】
〔３〕  表示装置の一例
〔３−１〕  構成の例
この例においては、表示装置としてパーソナルコンピュータを使用し、〔２〕に対応した所定のプログラムを実行する場合である。
【００５３】
図６において、符号６０はパーソナルコンピュータを示し、このパーソナルコンピュータ６０は、各種のプログラムを実行するＣＰＵ６１と、イニシャルプログラムローダが保存されている不揮発性メモリ６２と、ワークエリア用のＲＡＭ６３と、大容量の記憶デバイスとしてハードディスクドライブ６４とを有する。そして、これら不揮発性メモリ６２、ＲＡＭ６３およびハードディスクドライブ６４は、システムバス６９を通じてＣＰＵ６１に接続されている。
【００５４】
この場合、ハードディスクドライブ６４には、ＯＳと、各種のアプリケーションプログラムとが用意されているとともに、そのアプリケーションプログラムの一部として、〔２〕に対応した解析用プログラムおよび表示用のプログラムが用意されている。
【００５５】
また、システムバス６９には、入力デバイス６５と、カードリーダ６６と、通信回路６７とが接続されている。この場合、入力デバイス６５は、キーボードやマウスなどのようにユーザが操作して指示やデータの入力を行うためのものであり、カードリーダ６６は、メモリカード、例えば図３のメモリカード１９が差し込まれたとき、そのメモリカード１９との間でデータをアクセスするためのものである。また、通信回路６７は、コネクタ６８を通じて外部のネットワークやサーバとの間でデータのアップロード・ダウンロードなどを行うためのものである。
【００５６】
さらに、パーソナルコンピュータ６０には、表示制御回路７１およびオーディオ再生回路７３が設けられ、これらもシステムバス６９に接続されている。そして、表示制御回路７１は、図示はしないがビデオＲＡＭを有し、このビデオＲＡＭに表示データが供給されるとともに、所定の周期で繰り返し読み出されて映像信号に変換され、この映像信号がディスプレイ７２に供給されて画像を表示するものである。
【００５７】
また、オーディオ再生回路７３は、これにデジタルオーディオデータが供給されたとき、必要に応じてＭＰ３などのデコード処理を行い、さらに、そのデジタルオーディオデータをアナログオーディオ信号にＤ／Ａ変換し、そのアナログオーディオ信号をスピーカ７４に供給するものである。
【００５８】
〔３−２〕  生体情報および運動情報の解析
パーソナルコンピュータ６０の電源をオンにすると、ＣＰＵ６１により不揮発性メモリ６２のイニシャルプログラムローダが実行され、ハードディスクドライブ６４からＯＳが読み出されてＲＡＭ６３に転送されて実行され、アプリケーションプログラムの実行待ちとなる。
【００５９】
そこで、カードリーダ６６に、〔２〕により画像データ（図５Ａ）の保存されているメモリカード１９を差し込み、メモリカード１９に保存されている画像データをハードディスクドライブ６４に転送する。
【００６０】
そして、次に入力デバイス６５を操作して、ハードディスクドライブ６４に用意されている解析用プログラムを実行すると、画像データ（図５Ａ）に付加されている撮影者の心拍数および電気抵抗が解析されて撮影者の生体情報が取り出されるとともに、加速度が解析されて撮影者の運動情報が取り出される。
【００６１】
なお、上述のように、皮膚の電気抵抗から発汗量を知ることができ、したがって、心拍数および電気抵抗を解析することにより撮影者の生体情報を得ることができる。また、加速度を解析することにより、撮影者が、例えば、ゆっくり歩いている、早足で歩いている、立ち止まっている、バスや電車などの乗り物に乗車しているなどの状態、すなわち、撮影者の運動情報を得ることができる。
【００６２】
そして、この取り出された生体情報および運動情報が、図５Ｂに示すように、「ユーザ状態」を示すデータとして、該当する画像データに追記される。こうして、メモリカード１９からハードディスクドライブ６４に転送されたすべての画像データについて、ユーザ状態を示すデータが追記される。なお、撮影者の生体情報および運動情報は、撮影日時、撮影位置、撮影条件と同様、該当する画像に係わるメタ情報である。
【００６３】
〔４〕  画像データの共有
上述のように、複数のユーザの間で、画像およびその撮影場所を共有するため、すなわち、複数のユーザの間で行動の履歴を記録・蓄積して共有するため、サーバシステムが例えば以下のように構築される。
【００６４】
図７は、ユーザＡがデジタルスチルカメラ１０Ａおよびパーソナルコンピュータ６０Ａを有し、ユーザＢがデジタルスチルカメラ１０Ｂおよびパーソナルコンピュータ６０Ｂを有し、・・・、ユーザＮが携帯電話機６０Ｎを有している場合である。
【００６５】
なお、デジタルスチルカメラ１０Ａ、１０Ｂ、・・・は、デジタルスチルカメラ１０と同様に構成され、パーソナルコンピュータ６０Ａ、６０Ｂ、・・・はパーソナルコンピュータ６０と同様に構成されている。また、携帯電話機６０Ｎは、デジタルスチルカメラ１０の機能と、パーソナルコンピュータ６０の表示機能と同様の機能を有する。さらに、サーバ８０には、例えば図１に示すように、地図を表示するための地図データが用意されている。
【００６６】
そして、これらデジタルスチルカメラ１０Ａ、１０Ｂ、・・・、パーソナルコンピュータ６０Ａ、６０Ｂ、・・・、携帯電話機６０Ｎは、それらに設けられた通信回路２５、６７によりネットワーク、例えばインターネット９０を通じてサーバ８０に接続される。
【００６７】
したがって、デジタルスチルカメラ１０Ａ、１０Ｂ、・・・あるいは携帯電話機６０Ｎの撮影した画像の画像データ（およびそのメタデータ）をサーバ８０にアップロードすることができるとともに、それらの画像データ（およびメタデータ）をパーソナルコンピュータ６０Ａ、６０Ｂ、・・・あるいは携帯電話機６０Ｎにダウンロードすることができる。すなわち、ユーザＡ〜Ｎの撮影した画像をそのメタ情報とともに、共有することができる。
【００６８】
なお、この場合、一部のユーザには画像のダウンロードだけを許可したり、別の一部のユーザには画像およびメタ情報のアップロードだけを許可したりすることができる。さらに、〔３−２〕の解析をサーバ８０において行うこともできる。
【００６９】
〔５〕  画像データのアップロード
図８は、デジタルスチルカメラ１０が、サーバ８０に画像データをアップロードする場合の方法の一例を示す。すなわち、デジタルスチルカメラ１０において、ＣＰＵ２１の処理がルーチン２００のステップ２０１からスタートし、次にステップ２０２において、あらかじめ設定してある一定時間が経過したか否かが判別される。そして、経過していないときには、処理はステップ２０２からステップ２０３に進み、ユーザ（撮影者）がアップロードの操作をしたか否かが判別される。
【００７０】
そして、アップロードの操作がされていないときには、処理はステップ２０３からステップ２０２に戻る。こうして、ステップ２０２の判別期間は、ステップ２０２、２０３が繰り返されている。
【００７１】
しかし、ステップ２０２の判別期間が経過すると、処理はステップ２０２からステップ２１１に進む。また、ステップ２０３において、アップロードの操作が判別されたときも、処理はステップ２０３からステップ２１１に進む。
【００７２】
そして、ステップ２１１において、アップロードすべき画像データがあるか否かが判別され、あるときには、処理はステップ２１１からステップ２１２に進み、このステップ２１２によりその画像の画像データがサーバ８０にアップロードされ、その後、処理はステップ２０２に戻る。
【００７３】
また、ステップ２１１において、アップロードすべき画像データ（およびそのメタデータ）がないときには、処理はステップ２１１からステップ２０２に戻る。したがって、サーバ８０には、常に最新の画像が保管されていることになる。
【００７４】
なお、例えば図１の表示を実行するために、パーソナルコンピュータ６０から画像データや地図データのダウンロードの要求があったときには、これらのデータがサーバ８０からその要求をしたパーソナルコンピュータ６０にダウンロードされる。
【００７５】
〔６〕  まとめ
上述の表示装置によれば、あるユーザの撮影した画像を他のユーザと共有することができ、それらの画像を閲覧できるとともに、その撮影場所を知ることもでき、したがって、撮影者の行動がより理解しやすくなる。例えば、ある場所で珍しい風景を撮影したとき、これをその撮影場所とともに、容易に友人や知人などに知らせることができる。
【００７６】
また、自分自身が撮影した画像を探すときも、例えば図１Ａに示すように、撮影場所と、サムネイルとがリンクして表示されるので、目的とする原画像を容易に探し出すことができる。
【００７７】
〔７〕  その他
図１において、複数のサムネイルを選択した場合には、その選択されたサムネイルに対応する複数の画像が表示されるようにすることもできる。また、新しくアップロードされた画像（現在から所定の時間内にアップロードされた画像）は他の画像とは異なる表示方法（例えば、画像そのものが点滅して表示されてもよいし、地図上のアイコンが点滅してもよい）が施されてもよい。
【００７８】
さらに、ユーザは自分の友人など、あらかじめ作成された友人リスト内の人が撮影した画像だけを表示してもよいし、このシステムを利用できる人すべての画像を表示させてもよい、年齢や性別、キーワードなどでフィルタリングを行ってもよい。
【００７９】
また、上述において、加速度センサ３４に代えて、あるいは加えてジャイロセンサなどとすることもできる。さらに、上述においては、被写体の撮影を行うデジタルスチルカメラ１０と、その撮影画像の表示を行うパーソナルコンピュータ６０とが別体であるが、例えば携帯電話機６０Ｎのように、デジタルスチルカメラ１０に、パーソナルコンピュータ６０の表示機能と同様の表示機能を持たせることもできる。
【００８０】
さらに、例えば図９Ａに示すように、画像データには一般のデジタルスチルカメラと同様に撮影情報のデータを付加するとともに、リンク情報を付加し、図９Ｂに示すように、そのリンク情報で指定される別のファイルに、ユーザ状態などのデータを含ませておくこともできる。そのようにすれば、画像データと、ユーザ状態などのデータとをそれぞれ独立に管理することができる。
【００８１】
また、ＧＰＳユニット３１により位置情報を得る代わりに、携帯電話機の基地局や無線ＬＡＮのアクセスポイントなどから位置情報を得ることもできる。さらに、その位置情報は、緯度、経度、高度、移動方向、移動速度などとすることができる。また、サーバーへの送信は、記録された情報そのものを送信してもよいし、次に記す特別な変化が起きたときのみ送信してもよい。 
さらに、生体情報として、体温、呼吸数、皮電図のデータなどを使用することもできる。また、上述においては、ユーザがシャッターボタンを押したとき、撮影が行われるとともに、そのときのメタデータとしてユーザ状態を示すデータが保存される場合であるが、所定の期間ごとに自動的に撮影およびユーザ状態を示すデータの保存が行われるようにすることもできる。
【００８２】
また、ＧＰＳユニット３４の出力によりユーザが行動する場所の頻度表を作成してユーザが普段行動する範囲を把握しておき、その行動範囲から外れたとき、自動的に撮影およびユーザ状態を示すデータの保存を行うこともできる。
【００８３】
さらに、例えば自動車の助手席付近にデジタルスチルカメラ１０をつりさげ、進行方向を例えば10秒ごとに自動的に撮影するとともに、このときの運転者のユーザ状態を同様に記録してドライブレコーダとすることもできる。
【００８４】
また、〔３−２〕の生体情報および運動情報の解析は、デジタルスチルカメラ１０において、あるいはサーバ８０において行うこともできる。さらに、デジタルスチルカメラ１０あるいはパーソナルコンピュータ６０において、画像認識を行い、その認識結果を画像データに付加することもできる。
【００８５】
さらに、センサ３３、３４は、上述の時計タイプ（リストタイプ）以外にも、ネックレスタイプ、ブレスレットタイプ、アームバンドタイプなどとすることもでき、データの検出に加えて解析を行うこともできる。また、撮影とは別に、一定の期間ごとに生体情報を記録しておくこともできる。さらに、メタ情報はＤＣＦ規格などとすることもできる。
【００８６】
また、前回の表示後にサーバ８０にアップロードされた画像のサムネイルを表示する場合には、そのサムネイルを例えば点滅させ、新着の画像のあることを閲覧者に通知することもできる。さらに、複数の情報が非同期で記録される場合には、値が更新されるまでは前の値を補完することにより、複数の情報を擬似的に同期させることもできる。
【００８７】
〔略語の一覧〕
Ａ／Ｄ  ：Analog to Digital
ＡＧＣ  ：Automatic Gain Control
ＣＣＤ  ：Charge Coupled Device
ＣＤＳ  ：Correlated Double Sampling
ＣＰＵ  ：Central Processing Unit
Ｄ／Ａ  ：Digital to Analog
ＤＣＦ  ：Design rule for Camera File system
Ｅｘｉｆ：EXchangeable Image File format
ＧＰＳ  ：Global Positioning System
ＪＰＥＧ：Joint Photographic Experts Group
ＭＰ３  ：MPEG-1/Audio Layer 3
ＭＰＥＧ：Motion Picture Experts Group
ＯＳ    ：Operating System
ＲＡＭ  ：Random Access Memory
ＲＯＭ  ：Read Only Memory
【図面の簡単な説明】
【００８８】
【図１】この発明における表示例を示す図である。
【図２】この発明における表示例を示す図である。
【図３】この発明の一形態を示す系統図である。
【図４】この発明におけるデータ構造の一例を示す図である。
【図５】この発明の一形態を示す系統図である。
【図６】この発明による表示例を示す図である。
【図７】この発明による他の表示例を示す図である。
【図８】この発明の使用例を示す系統図である。
【図９】この発明におけるデータ構造の他の例を示す図である。
【符号の説明】
【００８９】
１０…デジタルスチルカメラ、１２…ＣＣＤ撮像素子、１６…表示制御回路、１７…ビューファインダ、１８…記録再生回路、１９…メモリカード、２０…マイクロコンピュータ、２７…操作ボタン、３１…ＧＰＳユニット、３２…時計回路、３３…生体情報センサ、３４…運動情報センサ、Ｆ1〜Ｆ5…外枠、Ｉ1〜Ｉ5…アイコン、SCRN…表示画面、Ｔ1〜Ｔ5…サムネイル
【図３】
2009211341.tif 000003
【図４】
2009211341.tif 000004
【図５】
2009211341.tif 000005
【図６】
2009211341.tif 000006
【図７】
2009211341.tif 000007
【図８】
2009211341.tif 000008
【図９】
2009211341.tif 000009
【図１】
2009211341.tif 000010
【図２】
2009211341.tif 000011